(57)【要約】【課題】セキュリティが確保され、かつサービス業者によるペットの飼育を可能にする。【解決手段】ペット共生用集合住宅１は、住戸２の内部を居室ゾーン４と非居室ゾーン５とに区画するセキュリティ区画３と、セキュリティ区画３に設置され、居室ゾーン４と非居室ゾーン５との行き来を可能にする内室扉３０と、非居室ゾーン５と住戸２の外部との行き来を可能にする玄関扉６とを有し、非居室ゾーン５にペットの飼育場所５５を配置し、内室扉６にペットの外部飼育者が玄関扉６の玄関錠６０を解錠した状態で施錠状態であるセキュリティ錠３１を備える。【選択図】図１
2006132194.tif 000002
【特許請求の範囲】
【請求項１】
住戸の内部を居室ゾーンと非居室ゾーンとに区画するセキュリティ区画と、
前記セキュリティ区画に設置され、前記居室ゾーンと前記非居室ゾーンとの行き来を可能にする内室扉と、
前記非居室ゾーンと住戸の外部との行き来を可能にする玄関扉とを有し、
前記非居室ゾーンにペットの飼育場所を配置し、
前記内室扉に前記ペットの外部飼育者が前記玄関扉の玄関錠を解錠した状態で施錠状態であるセキュリティ錠を備えることを特徴とするペット共生用集合住宅。
【請求項２】
前記非居室ゾーンは、玄関の下足エリアであることを特徴とする請求項１に記載のペット共生用集合住宅。
【請求項３】
前記セキュリティ区画または前記内室扉に、前記ペットの前記居室ゾーンと前記非居室ゾーンとの行き来を可能にするペット用くぐり戸を設置することを特徴とする請求項１または請求項２に記載のペット共生用集合住宅。
【請求項４】
前記内室扉と前記玄関扉には、異なる形式の錠を設けることを特徴とする請求項１に記載のペット共生用集合住宅。
【請求項５】
前記玄関錠はカード式電子錠であり、
前記セキュリティ錠は、機械式錠であり、
ＩＣカードの提示によりカード情報を受信する機能を有するカードリーダと、
前記カードリーダからのカード情報に基づき前記玄関錠を制御する制御装置とを備え、
前記制御装置は、ＩＣカードからのカード情報に基づき前記玄関錠を解錠することを特徴とする請求項１に記載のペット共生用集合住宅。
【請求項６】
前記カードリーダからのカード情報に基づき前記玄関錠の解錠の履歴データを記憶する記憶手段と、
前記記憶した前記履歴データを出力する出力手段とを備えることを特徴とする請求項５に記載のペット共生用集合住宅。
【発明の詳細な説明】
【技術分野】
【０００１】
この発明は、ペット共生用集合住宅に関するものである。
【背景技術】
【０００２】
近年、都市部を中心に単身者やＤＩＮＫＳの「心の癒し」の対象として猫や室内犬などのペットが飼われるようになっている。このようなペットは都市部における一戸建においては飼うことができるが、集合住宅においては飼うことが困難であった。しかし、ペットを飼うニーズの高まりとともに、ペットを飼うことができる集合住宅も増えてきている（例えば特許文献１）。
【０００３】
ところで、ペットがいると例えば夫婦や子供を含めて一家で旅行等にでかけて留守にすることができず、留守にする場合にはペットがいると隣人等に玄関のキーを渡してペットに餌等を与える飼育を頼むようにしている。
【特許文献１】登録実用新案第３０８２５９７号公報（第１頁〜第７頁、図１〜図７）
【発明の開示】
【発明が解決しようとする課題】
【０００４】
このように、ペットと暮らしたいと言う単身生活者が増加している中で、その希望を妨げる最も大きな要因は、飼い主の留守中にペットの世話ができないと言う問題である。ペットホテル等もあるが、できればいつもと同じ生活環境にペットをおいておきたい。
【０００５】
例えば、留守にする場合、サービス業者に玄関のキーを渡して住戸の内部のペットの飼育を委託することが考えられるが、一般に集合住宅におけるセキュリティ区画は、エントランス等の共用部セキュリティと各住戸の専有部セキュリティによって構成されている。専有部のセキュリティは、各住戸の外郭ライン上にある玄関扉や窓等の開口部に防犯設備を設置して、セキュリティ区画を各住戸の輪郭上に形成するものであるが、従来各住戸の専有部内部においてはセキュリティ上の区画は設けられていなかった。
【０００６】
この発明は、かかる点に鑑みてなされたもので、セキュリティが確保され、かつサービス業者によるペットの飼育を可能にするペット共生用集合住宅を提供することを目的としている。
【課題を解決するための手段】
【０００７】
前記課題を解決し、かつ目的を達成するために、この発明は、以下のように構成した。
【０００８】
請求項１に記載の発明は、住戸の内部を居室ゾーンと非居室ゾーンとに区画するセキュリティ区画と、
前記セキュリティ区画に設置され、前記居室ゾーンと前記非居室ゾーンとの行き来を可能にする内室扉と、
前記非居室ゾーンと住戸の外部との行き来を可能にする玄関扉とを有し、
前記非居室ゾーンにペットの飼育場所を配置し、
前記内室扉に前記ペットの外部飼育者が前記玄関扉の玄関錠を解錠した状態で施錠状態であるセキュリティ錠を備えることを特徴とするペット共生用集合住宅である。
【０００９】
請求項２に記載の発明は、前記非居室ゾーンは、玄関の下足エリアであることを特徴とする請求項１に記載のペット共生用集合住宅である。
【００１０】
請求項３に記載の発明は、前記セキュリティ区画または前記内室扉に、前記ペットの前記居室ゾーンと前記非居室ゾーンとの行き来を可能にするペット用くぐり戸を設置することを特徴とする請求項１または請求項２に記載のペット共生用集合住宅である。
【００１１】
請求項４に記載の発明は、前記内室扉と前記玄関扉には、異なる形式の錠を設けることを特徴とする請求項１に記載のペット共生用集合住宅である。
【００１２】
請求項５に記載の発明は、前記玄関錠はカード式電子錠であり、
前記セキュリティ錠は、機械式錠であり、
ＩＣカードの提示によりカード情報を受信する機能を有するカードリーダと、
前記カードリーダからのカード情報に基づき前記玄関錠を制御する制御装置とを備え、
前記制御装置は、ＩＣカードからのカード情報に基づき前記玄関錠を解錠することを特徴とする請求項１に記載のペット共生用集合住宅である。
【００１３】
請求項６に記載の発明は、前記カードリーダからのカード情報に基づき前記玄関錠の解錠の履歴データを記憶する記憶手段と、
前記記憶した前記履歴データを出力する出力手段とを備えることを特徴とする請求項５に記載のペット共生用集合住宅である。
【発明の効果】
【００１４】
前記構成により、この発明は、以下のような効果を有する。
【００１５】
請求項１に記載の発明によれば、住戸の内部を居室ゾーンと非居室ゾーンとに区画し、非居室ゾーンにペットの飼育場所を配置し、内室扉にセキュリティ錠を備え、ペットの外部飼育者が玄関扉の玄関錠を解錠した状態では施錠状態であり、外部飼育者は非居室ゾーンにてペットに餌を与える等の飼育を行うことができる。このように、サービス業者等の外部飼育者は居住者の留守中に玄関側の非居室ゾーンに入ってペットの世話をするが、他の居室ゾーンには立ち入ることはできないので、セキュリティが確保される。
【００１６】
請求項２に記載の発明によれば、非居室ゾーンは、玄関の下足エリアであり、サービス業者等の外部飼育者は居住者の留守中に玄関の下足エリアに入ってペットの世話をするが、他の居室ゾーンには立ち入ることはできないので、セキュリティが確保される。
【００１７】
請求項３に記載の発明によれば、ペットがペット用くぐり戸によって居室ゾーンと非居室ゾーンとを行き来し、ペットの行動を妨げないようにすることができる。
【００１８】
請求項４に記載の発明によれば、内室扉と玄関扉には、異なる形式の錠を設け、例えば機械式又は電池（気）式番号錠、指紋照合錠、リモコン錠、カード錠等から異なる形式の錠を選択して用いることができる。
【００１９】
請求項５に記載の発明によれば、玄関錠はカード式電子錠であり、セキュリティ錠は、機械式錠であり、ＩＣカードからのカード情報に基づき玄関錠を解錠し、居室ゾーンは玄関錠とは異なる機械式錠を設置してセキュリティ効果を高めている。
【００２０】
請求項６に記載の発明によれば、カードリーダからのカード情報に基づき玄関錠の解錠の履歴データを記憶し、この記憶した履歴データを表示したり、プリントする等で出力する。このように、居住者の留守中における例えばサービス業者等の外部飼育者の入室記録を残せるので、居住者はサービスが確実に行われたことを確認できる。
【発明を実施するための最良の形態】
【００２１】
以下、この発明のペット共生用集合住宅の実施の形態について説明する。この発明の実施の形態は、発明の最も好ましい形態を示すものであり、この発明はこれに限定されない。
【００２２】
図１はペット共生用集合住宅の概略構成図、図２はＩＣカード式電子錠システムを示す図である。この実施の形態のペット共生用集合住宅１は、図１に示すように、住戸２の内部がセキュリティ区画３によって居室ゾーン４と非居室ゾーン５とに区画されている。
【００２３】
居室ゾーン４には、クロゼット４０、テーブル４１、ベッド４２、テレビ４３等がセットされ、またキッチン５１、トイレ５２、洗面所５３、浴室５４等が設置されている。
【００２４】
非居室ゾーン５には、玄関の下足エリア５０等が設置されている。また、この非居室ゾーン５の玄関の下足エリア５０にはペットの飼育場所５５が配置され、飼育場所５５にはペット餌台５５ａとペットトイレ５５ｂが設けられている。このように、非居室ゾーン５には、ペットの世話を行い易いように、ペット専用スペースが設置されている。
【００２５】
玄関の下足エリア５０とキッチン５１との間には、内室扉３０が設けられ、この内室扉３０にはペット用くぐり戸３０ａが設置されている。ペットとして猫を飼育するようにしているが、猫に限定されず、室内犬などのペットでもよい。
【００２６】
内室扉３０によって居室ゾーン４と非居室ゾーン５との行き来を可能にしている。この内室扉３０にセキュリティ錠３１が設置されている。また、内室扉３０には、ペット用くぐり戸３０ａが設置され、このペット用くぐり戸３０ａによってペットが居室ゾーン４と非居室ゾーン５との間を行き来することができる。
【００２７】
この実施の形態のペット共生用集合住宅１は、非居室ゾーン５と住戸２の外部との行き来を可能にする玄関扉６を有し、この玄関扉６に玄関錠６０が設置されている。
【００２８】
玄関錠６０はカード式電子錠であり、セキュリティ錠３１は、機械式錠である。内室扉３０に設置したセキュリティ錠３１は、ペットの外部飼育者が玄関扉６の玄関錠６０を解錠した状態で施錠状態である。
【００２９】
この実施の形態では、図２に示すように、ＩＣカード式電子錠システムが用いられている。このＩＣカード式電子錠システムは、ＩＣカード９２と、カードリーダ９３と、制御装置９４と、玄関錠６０と、記憶手段９５と、出力手段９６とを備えている。
【００３０】
ＩＣカード９２は、ＩＣチップ及びアンテナ等が内蔵され、カードリーダ９３からの信号によりカード情報を送信する機能を有する。
【００３１】
カードリーダ９３には、ＩＣチップ及びアンテナ等が内蔵されている。１枚のＩＣカード９２をかざして提示することにより、カードリーダ９３はカード情報とかざしによって読み取り信号を出力する。
【００３２】
制御装置９４は、ＣＰＵ、メモリ等で構成され、カード式電子錠である玄関錠６０の施錠及び解錠を行い、また記憶手段９５及び出力手段９６を制御する。
【００３３】
制御装置９４は、ＩＣカード９２からのカード情報に基づき玄関錠６０を解錠するが、セキュリティ錠３１は、機械式錠であり、解錠できないようになっている。記憶手段９５は、カードリーダ９３からのカード情報に基づき玄関錠６０の解錠の履歴データを記憶する。出力手段９６は、例えば液晶表示装置、あるいはプリンタで構成され、記憶手段９５に記憶した履歴データを出力する。
【００３４】
この実施の形態では、図１に示すように、住戸２の内部を居室ゾーン４と非居室ゾーン５とに区画し、非居室ゾーン５にペットの飼育場所を配置し、内室扉３０にセキュリティ錠３１を備えている。したがって、留守にする場合、居住者は機械式のセキュリティ錠３１をキーで施錠し、サービス業者等の外部飼育者にＩＣカード９２を渡して住戸２の内部のペットの飼育を委託すると、外部飼育者はＩＣカード９２によって玄関錠６０を解錠し、非居室ゾーン５に入ってペット餌台５５ａに餌を入れたり、ペットトイレ５５ｂを清掃したりして飼育を行うことができる。
【００３５】
このとき、セキュリティ錠３１はペットの外部飼育者が玄関扉６の玄関錠６０を解錠した状態では施錠状態であり、サービス業者等の外部飼育者は居住者の留守中に玄関側の非居室ゾーン５に入ってペットの世話をするが、他の居室ゾーン４には立ち入ることはできないので、セキュリティが確保される。
【００３６】
また、内室扉３０にはペット用くぐり戸３０ａが設けられており、ペットがペット用くぐり戸３０ａによって居室ゾーン４と非居室ゾーン５とを行き来することができ、内室扉３０が施錠されていてもペットの行動を妨げないようにすることができる。
【００３７】
また、カードリーダ９３からのカード情報に基づき玄関錠６０の解錠の履歴データが記憶手段９５に記憶されており、この記憶した履歴データは出力手段９６に表示したり、プリントする等で出力することができる。このように、居住者の留守中における例えばサービス業者等の外部飼育者の入室記録を残せるので、居住者はサービスが確実に行われたことを確認できる。
【００３８】
また、この実施の形態では、玄関錠６０がカード式電子錠であり、セキュリティ錠３１は、機械式錠であり、ＩＣカード９２からのカード情報に基づき玄関錠６０を解錠し、居室ゾーン４は玄関錠６０とは異なる機械式錠を設置してセキュリティ効果を高めている。
【００３９】
この玄関錠６０はカード式電子錠に限定されず、機械式錠であってもよい。また、居住者は予めセキュリティ錠３１を施錠し、玄関錠６０の機械式のキーのみサービス業者に貸与する。サービス業者は居住者の留守中に玄関側の非居室ゾーン５に入ってペットの世話をするが、他の居室ゾーン４には立ち入ることはできない。
【００４０】
この実施の形態のペット共生用集合住宅１によって、ペットと暮らしたいと言う単身生活者が増加している中で、その希望を妨げる最も大きな要因である飼い主の留守中にペットの世話ができないと言う問題が解消され、ペットの世話を委託可能にすると同時に、ペットに対しては日常の生活環境を変えることがないというメリットを両立させることができる。
【００４１】
また、図２に示すようなＩＣカード式電子錠システムを用いることで、居住者の留守中におけるサービス業者の入室記録を残せるので居住者はサービスが確実に行われたことを確認できる。また、居住者はサービス業者への委託を中止した時に、ＩＣカードの登録を抹消して、サービス業者が所有していたＩＣカードを無効にし、ＩＣカードの悪用を防ぐことが容易にできる。
【００４２】
なお、ペットサービス以外にも、クリーニングの受け渡しや食料品の納入等を行うことができる。特に、居住者が歩行困難で共用部まで頻繁に行くことができない場合に、住戸の玄関先で集配を依頼できるメリットなどがある。
【００４３】
次に、他の実施の形態を図３に示す。図３はペット共生用集合住宅の概略構成図である。この実施の形態のペット共生用集合住宅１は、図３に示すように、  居室ゾーン４には、クロゼット４０、テーブル４１、ベッド４２、テレビ４３等がセットされている。非居室ゾーン５には、玄関の下足エリア５０、キッチン５１、トイレ５２、洗面所５３、浴室５４等が設置されている。また、この非居室ゾーン５にはペットの飼育場所５５が配置され、飼育場所５５にはペット餌台５５ａとペットトイレ５５ｂが設けられている。このように、非居室ゾーン５には、ペットの世話を行い易いように、ペット専用スペースが設置されている。  キッチン５１とトイレ５２、洗面所５３との間には、扉５６が設けられ、この扉５６にはペット用くぐり戸５６ａが設置されている。
【００４４】
セキュリティ区画３には、内室扉３０が設置され、内室扉３０によって居室ゾーン４と非居室ゾーン５との行き来を可能にしている。この内室扉３０にセキュリティ錠３１が設置されている。また、内室扉３０には、ペット用くぐり戸３０ａが設置され、このペット用くぐり戸３０ａによってペットが居室ゾーン４と非居室ゾーン５との間を行き来することができる。
【００４５】
この実施の形態のペット共生用集合住宅１は、非居室ゾーン５と住戸２の外部との行き来を可能にする玄関扉６を有し、この玄関扉６に玄関錠６０が設置されている。
【００４６】
玄関錠６０はカード式電子錠であり、セキュリティ錠３１は、機械式錠である。内室扉３０に設置したセキュリティ錠３１は、ペットの外部飼育者が玄関扉６の玄関錠６０を解錠した状態で施錠状態である。
【００４７】
この実施の形態では、図２に示すようと同様なＩＣカード式電子錠システムが用いられ、同様に作動するから説明を省略する。
【００４８】
また、図１及び図３に示す内室扉３０と玄関扉６には、図２に示すＩＣカード式電子錠システムをに限定されず異なる形式の錠を設け、例えば機械式又は電池（気）式番号錠、指紋照合錠、リモコン錠、カード錠等から異なる形式の錠を選択して用い、内室扉３０にセキュリティ錠を備え、ペットの外部飼育者が玄関扉６の玄関錠６０を解錠した状態では施錠状態とし、外部飼育者は非居室ゾーンにてペットに餌を与える等の飼育を行うことができようにしてもよい。
【産業上の利用可能性】
【００４９】
このペット共生用集合住宅は、住戸の内部を居室ゾーンと非居室ゾーンとに区画し、非居室ゾーンにペットの飼育場所を配置し、内室扉にセキュリティ錠を備え、ペットの外部飼育者が玄関扉の玄関錠を解錠した状態では施錠状態であり、外部飼育者は非居室ゾーンにてペットに餌を与える等の飼育を行うことができる。
【図面の簡単な説明】
【００５０】
【図１】ペット共生用集合住宅の概略構成図である。
【図２】ＩＣカード式電子錠システムを示す図である。
【図３】ペット共生用集合住宅の他の実施の形態の概略構成図である。
【符号の説明】
【００５１】
１  ペット共生用集合住宅
２  住戸
３  セキュリティ区画
４  居室ゾーン
５  非居室ゾーン
６  玄関扉
３０  内室扉
３０ａ  ペット用くぐり戸
３１  セキュリティ錠
５５  飼育場所
５５ａ  ペット餌台
５５ｂ  ペットトイレ
６０  玄関錠
９２  ＩＣカード
９３  カードリーダ
９４  制御装置
９５  記憶手段
９６  出力手段
【図１】
2006132194.tif 000003
【図２】
2006132194.tif 000004
【図３】
2006132194.tif 000005